(57)【要約】【課題】腕や肩のスムーズな動作が難しい年配の人や身体面でのハンディキャップを持つ人でも、装着が簡単にできると共に、ジャケットなど袖のある衣服の着用をスムーズに行うことができるようにする補助具としての使用が可能なスカーフを提供する。【解決手段】スカーフＳは表面が滑らかな素材で形成されている。スカーフＳは、一端部に開口部３が設けられ他端部は閉塞された管状のスカーフ本体１と、スカーフ本体１の閉塞側に設けられた輪部２を備えている。スカーフ本体１は輪部２に通すことができる。スカーフ本体１と輪部２には、装飾のための重ね折り部５が設けられている。【選択図】図１
2008240194.tif 000002
【特許請求の範囲】
【請求項１】
少なくとも表面側が滑らかな素材で形成されており、一端側が開口され他端側が閉塞された管状または筒状で補助具としての使用時に腕の挿入が可能なスカーフ本体(1)と、
該スカーフ本体(1)の閉塞側に設けられ、スカーフ本体(1)を挿通または固定できる要素(2)と、
を備えている、衣服着用補助具を兼ねたスカーフ。
【請求項２】
スカーフ本体(1)またはスカーフ本体(1)を挿通または固定できる要素(2)に、装飾のための重ね折り部(5)が設けられている、
請求項１の衣服着用補助具を兼ねたスカーフ。
【請求項３】
スカーフ本体(1)の長さが、少なくとも４００ｍｍである、
請求項１または２の衣服着用補助具を兼ねたスカーフ。
【発明の詳細な説明】
【技術分野】
【０００１】
本発明は、衣服着用補助具を兼ねたスカーフに関するものである。更に詳しくは、例えば腕や肩のスムーズな動作が難しい年配の人や身体面でのハンディキャップを持つ人でも、装着が簡単にできると共に、ジャケットなど袖のある衣服の着用をスムーズに行うことができるようにする衣服着用補助具としても使用できるようにしたスカーフに関する。
【背景技術】
【０００２】
スカーフは、例えばシフォン（比較的粗めに織った平織り）、デシン（比較的薄地の広幅縮緬（ちりめん））、ツイル（綾織）、サテン（朱子織）などの各種素材を使用し、様々な風合いでつくられており、バイアス折り、三角折り、プリーツ折りなどの折り方と、巻き方をいろいろに変えることにより、衣服とコーディネイトしてお洒落を楽しむことができるものである。近年では、若い人たちばかりでなく、むしろ年配の人たちがお洒落を楽しんでいる傾向もみられ、スカーフを使用したお洒落も例外ではない。
【０００３】
しかしながら、年配の人たちにとって、スカーフをいろいろに折ったり巻いたりすることは不得手な場合も多い。一方で、年配の人たちは、一般に肩や腕の筋肉や関節が固くなっている傾向があり、コーディネイトする際にジャケットなど袖のある衣服を着用するときに、肘が衣服の肩部の袖穴口に引っ掛かったりして、腕を袖に通しにくく、スムーズに着用できない場合もある。また、身体面でのハンディキャップを持つ人たちの中には、年配の人たちと同様に、袖のある衣服をスムーズに着用することが困難な人もいる。
【０００４】
なお、衣服の袖や足など、衣服の細い部分に手足を通すときに、それをスムーズに行うことができるように補助するものとしては、例えば特許文献１記載の補助具がある。
この補助具は、ポリフッ化エチレンシートで一方を開口した袋体に構成され、袋体に手または足を入れてウエットスーツの袖口あるいは足首口を通してから袋体を外してウエットスーツを着用することができ、表裏面で摩擦係数が異なり、表面側が小摩擦係数となるよう形成されており、ウエットスーツへの手足の挿入が、手足を痛めることなく、慣れない使用者であっても容易に行うことができるというものである。
【０００５】
【特許文献１】実用新案登録第３１０３３３８号
【発明の開示】
【発明が解決しようとする課題】
【０００６】
前記したように、年配の人たちや身体面でのハンディキャップを持つ人たちにとって、スカーフをいろいろに折ったり巻いたりすることは不得手な場合も多いために、従来の一般的なスカーフは、手軽にお洒落を楽しむには、やや使いにくい面もあった。
【０００７】
一方で、年配の人たちや身体面でのハンディキャップを持つ人たちにとっては、お洒落を楽しむために、例えばジャケットなど袖のある衣服を着用する際にも、人によっては着用をスムーズに行うことができないというもどかしさも少なからずあった。
【０００８】
そこで、本発明の目的は、腕や肩のスムーズな動作が難しい年配の人や身体面でのハンディキャップを持つ人でも、スカーフの巻き付けが簡単にできるようにすることである。
【０００９】
また、本発明の他の目的は、前記目的に加えて、腕や肩のスムーズな動作が難しい年配の人や身体面でのハンディキャップを持つ人でも、スカーフを使用してジャケットなど袖のある衣服の着用をスムーズに行うことができるようにすることである。
【課題を解決するための手段】
【００１０】
上記課題を解決するために本発明が講じた手段は次のとおりである。
本発明は、
少なくとも表面側が滑らかな素材で形成されており、一端側が開口され他端側が閉塞された管状または筒状で補助具としての使用時に腕の挿入が可能なスカーフ本体と、
該スカーフ本体の閉塞側に設けられ、スカーフ本体を挿通または固定できる要素と、
を備えている、衣服着用補助具を兼ねたスカーフである。
【００１１】
本発明のスカーフは、
スカーフ本体またはスカーフ本体を挿通または固定できる要素に、装飾のための重ね折り部が設けられているのがより好ましい。
【００１２】
本発明のスカーフは、
スカーフ本体の長さが、少なくとも４００ｍｍであるのがより好ましい。
【００１３】
スカーフ本体を挿通または固定できる要素は、スカーフ本体と別に形成して接続手段などによってスカーフ本体と一体化してもよいし、スカーフ本体の一部だったものを曲げたり変形させて輪をつくるなどして形成してもよい。
この要素の構造または形態は、スカーフ本体を挿通または固定できれば特に限定するものではなく、例えば輪部、穴部、フック部などの挿通部、面ファスナーなどの係着部を採用することができる。
【００１４】
スカーフの素材は、少なくとも表面側（外側をなす面側）が滑らかであれば特に限定するものではない。例えば、シルク繊維や合成繊維を使用したシフォン、デシン、ツイル、サテンの各織布などである。
【００１５】
装飾のための重ね折り部の折り方も特に限定するものではない。例えば、バイアス折り、三角折りあるいはプリーツ折りを模した折り目を設けたものなどである。
【００１６】
スカーフ本体の長さが４００ｍｍを超えるものは、多くの場合で一般的な着用者の片方の腕の全体を包むことができ、衣服着用補助具としての使用がより円滑にできる。また、４００ｍｍに満たないものは、多くの場合で一般的な着用者の片方の腕の全体を包むことができない傾向がある。
【００１７】
（作用）
本発明に係る衣服着用補助具を兼ねたスカーフの作用を説明する。なお、ここでは本発明の各構成要件のそれぞれに、後述する実施の形態において各部に付与した符号を対応させて付与し説明するが、この符号の付与は、あくまで説明の理解を容易にするためであって各構成要件の上記各部への限定を意味するものではない。
【００１８】
衣服着用補助具を兼ねたスカーフ(S)を首に巻くときは次のように行う。
まず、スカーフ(S)のスカーフ本体(1)を装着者の首の後部に掛けて両端側を胸側に垂らし、スカーフ本体(1)の開口部(3)側を、スカーフ本体(1)を挿通または固定できる要素(2)に差し込む。そして、要素(2)を通り抜けたスカーフ本体(1)の長さを調節したり、要素(2)で固定されるスカーフ本体(1)の位置を調節することによって、首に巻かれたスカーフ本体(1)で形成されたループの大きさを調節して装着が完了する。
【００１９】
また、スカーフ(S)を、ジャケット（上着）など袖のある衣服の着用をスムーズに行うための衣服着用補助具（袖通し用の補助具）として使用するときは次のように行う。
まず、着用者がスカーフ(S)のスカーフ本体(1)に開口部(3)から片方の腕を挿入し、例えばスカーフ本体(1)でその片方の腕全体を包むようにする。このとき、スカーフ本体(1)の先部は閉塞されているので、スカーフ本体(1)に挿入されている腕の先部もスカーフ本体(1)から外に出ることなくスカーフ本体(1)の中に収まっている。
【００２０】
この状態で、ジャケットの肩部の袖穴口から、スカーフ(S)で包まれた腕を入れる。前記のように腕はスカーフ(S)で包まれており、手先などの腕の皮膚部分もスカーフ(S)の表面に露出していない。そして、スカーフ(S)のスカーフ本体(1)の表面側は滑らかであり、袖部の内面に対しては滑りやすい。これによって、例えば着用者の肘がジャケットの肩部の袖穴口に引っ掛かったりしにくく、手先が袖部の内面に引っ掛かることもないので、ジャケットを容易に着用することができる。その後、衣服の袖口側からスカーフ(S)を抜き取る。
【００２１】
スカーフ本体(1)またはスカーフ本体(1)を挿通または固定できる要素(2)に、装飾のための重ね折り部(5)が設けられているスカーフ(S)は、前記のように簡単な装着方法でも、特に折りなどを施すことなく見栄えがするように外観を整えて装着することができる。
【００２２】
スカーフ本体(1)の長さが、少なくとも４００ｍｍであるスカーフ(S)は、一般的な着用者の片方の腕のほぼ全体を包むことができるので、腕の一部がスカーフ本体(1)から外側に露出することはなく、スカーフ(S)の滑らかな表面側だけが袖部の内面側に接触するので、前記着用をよりスムーズに行うことができる。
【発明の効果】
【００２３】
（ａ）本発明のスカーフは、腕や肩のスムーズな動作が難しい年配の人や身体面でのハンディキャップを持つ人でも、スカーフの装着（巻き付け）が簡単にできる。
（ｂ）本発明のスカーフは、腕や肩のスムーズな動作が難しい年配の人や身体面でのハンディキャップを持つ人でも、ジャケットなど袖のある衣服の着用をスムーズに行うことができる。また、袖部内部の摩擦が大きい衣服を着用するときには、健常者にとっても便利である。
【発明を実施するための最良の形態】
【００２４】
本発明を図に示した実施例に基づき詳細に説明する。
【実施例】
【００２５】
図１は本発明に係るスカーフの一実施の形態を示す斜視図、
図２はスカーフの正面図、
図３はスカーフの背面図、
図４はスカーフの平面図、
図５はスカーフの底面図、
図６はスカーフの右側面図、
図７はスカーフの左側面図である。
【００２６】
スカーフＳは、シルクを使用したサテンの織布で形成されている。サテンの織布は表面が滑らかで光沢がある。なお、スカーフＳを形成する素材は、サテンの織布に限定されるものではなく、衣服の袖の内面側の布との間で滑りやすい性質のものであれば、例えば各種繊維、例えば合成繊維を使用したシフォン、デシン、ツイル、サテンの各織布など様々な素材を採用することができる。
【００２７】
スカーフＳは、スカーフ本体１と輪部２を備えている。輪部２はスカーフ本体１を挿通する要素を構成する。スカーフ本体１と輪部２を形成する前記織布で形成された管状体（または筒状体：符号省略）は、所要の長さを有しており、一端側には開口部３が形成されている。管状体の長さと、管状体が膨らんだときの太さは、少なくとも着用者が片方の腕を入れることができるように設定されている。
【００２８】
管状体の他端側（開口部３とは反対側）の表面側には、プリーツ折りを模した襞状の重ね折り部５が幅方向に一定間隔で複数形成されており、管状体の他端側はこれによって開口部３側よりやや窄まるように形成されている。
【００２９】
前記輪部２は、管状体の重ね折り部５が形成されている他端側を輪状に曲げて、基側の部分と重ね合わせ、さらに重ね合わせた部分を貫通するよう縫合部４で幅方向に縫い付けることにより形成されている。これによって、管状体は縫合部４を境としてスカーフ本体１と輪部２に分かれ、スカーフ本体１の他端側は縫合部４で閉塞されており、輪部２の表面側にも重ね折り部５が形成された構造となる。
【００３０】
また、スカーフ本体１の長さ（開口部３の端縁から縫合部４までの長さ）は、本実施形態では、約５００ｍｍであるが、これに限定するものではない。なお、スカーフ本体１の長さは、後述するように、スカーフＳを腕を袖に通すための補助具として使用する場合の利便性を考慮すれば、腕を肩部まで深く入れることができるように設定するのがより好ましい。
【００３１】
（作用）
図８はスカーフとしての使用状態を示す説明図、
図９はスカーフの衣服着用補助具としての使用方法を示し、腕に装着している状態の説明図、
図１０はスカーフの衣服着用補助具としての使用方法を示し、腕と共に袖に通した状態の説明図である。
主に、図１、図８ないし図１０を参照してスカーフＳの使用方法及び作用を説明する。
【００３２】
装着者ＭがスカーフＳを首に巻くときは、まず、スカーフＳのスカーフ本体１を装着者Ｍの首の後部に掛けて両端側を胸側に垂らし、スカーフ本体１の開口部３側を輪部２に差し込む。そして、輪部２を通り抜けたスカーフ本体１を手で引っ張り、その長さを調節することによって、首に巻かれたスカーフ本体１で形成されたループ（符号省略）の大きさを調節して装着することができる（図８参照）。
【００３３】
なお、装着されたスカーフＳの外観には重ね折り部５が表れており、装着者Ｍが特に装飾のための折りを施さなくても見栄えがするよう外観を整えることができる。
このように、スカーフＳは装着が簡単であるので、スカーフをいろいろに折ったり巻いたりすることが不得手な、腕や肩のスムーズな動作が難しい年配の人や身体面でのハンディキャップを持つ人でも、スカーフの装着（巻き付け）が無理なく簡単にできる。
【００３４】
次に、スカーフＳを、ジャケット６など袖のある衣服の着用をスムーズに行うための衣服着用補助具として使用するときは次のように行う。
まず、着用者Ｍ（便宜上、装着者と同じ符号を付している）がスカーフＳのスカーフ本体１に開口部３側から片方の腕７を挿入し、スカーフ本体１でその腕７全体を包むようにする（図９参照）。
【００３５】
これにより、例えば腕７の一部がスカーフ本体１から外側に露出することはなく、スカーフＳの滑らかな表面側だけが、袖部６１の内面側に接触するようになる。
また、スカーフ本体１の先部は縫合部４で閉塞されているので、スカーフ本体１に挿入されている腕７の先部（手先部）もスカーフ本体１から外に出ることなくスカーフ本体１の中に収まっている。
【００３６】
この状態で、ジャケット６の肩部の袖穴口６０から、スカーフＳで包まれた腕７を入れる。腕７はスカーフＳで包まれており、手先などの腕７の皮膚部分もスカーフＳの表面に露出していない。このため、スカーフＳのスカーフ本体１の表面側は全体が滑らかであり、袖部６１の内面に対しては滑りやすい。
【００３７】
これによって、例えば着用者Ｍの肘がジャケット６の袖穴口６０に引っ掛かったりしにくく、着用者Ｍの手先が袖部６１の内面に引っ掛かることもないので、ジャケット６をスムーズに着用することができる。その後、ジャケット６の袖口６２側からスカーフＳを抜き取るようにする（図１０参照）。
【００３８】
このように、スカーフＳを袖のある衣服の着用をスムーズに行うための衣服着用補助具として使用することにより、腕や肩のスムーズな動作が難しい年配の人や身体面でのハンディキャップを持つ人でも、ジャケット６など袖のある衣服の着用をスムーズに、かつ容易に行うことができる。
【００３９】
なお、本明細書で使用している用語と表現は、あくまで説明上のものであって限定的なものではなく、上記用語、表現と等価の用語、表現を除外するものではない。また、本発明は図示されている実施の形態に限定されるものではなく、技術思想の範囲内において種々の変形が可能である。
【図面の簡単な説明】
【００４０】
【図１】本発明に係るスカーフの一実施の形態を示す斜視図。
【図２】スカーフの正面図。
【図３】スカーフの背面図。
【図４】スカーフの平面図。
【図５】スカーフの底面図。
【図６】スカーフの右側面図。
【図７】スカーフの左側面図。
【図８】スカーフとしての使用状態を示す説明図。
【図９】スカーフの衣服着用補助具としての使用方法を示し、腕に装着している状態の説明図。
【図１０】スカーフの衣服着用補助具としての使用方法を示し、腕と共に袖に通した状態の説明図。
【符号の説明】
【００４１】
Ｓ  スカーフ
１  スカーフ本体
２  輪部
３  開口部
４  縫合部
５  重ね折り部
６  ジャケット
６０  袖穴口
６１  袖部
６２  袖口
７  腕
Ｍ  着用者、装着者
【図１】
2008240194.tif 000003
【図２】
2008240194.tif 000004
【図３】
2008240194.tif 000005
【図４】
2008240194.tif 000006
【図５】
2008240194.tif 000007
【図６】
2008240194.tif 000008
【図７】
2008240194.tif 000009
【図８】
2008240194.tif 000010
【図９】
2008240194.tif 000011
【図１０】
2008240194.tif 000012